(57)【特許請求の範囲】
【請求項１】
少なくとも電話機能とファクシミリ機能とプリンタ機能とイメージリーダ機能とを実現可能で外部通信回線に接続された多機能装置と、この多機能装置に接続可能な情報処理装置とを含む多機能複合装置において、
前記多機能装置に、音声等のサウンドを出力可能なスピーカ手段と、前記情報処理装置の電源オフ且つ留守番電話の際に、外部通信回線から受信した通話情報を格納する通話情報メモリと、情報処理装置の電源がオフからオンに切換えられたときに、通話情報メモリから通話情報を読み出して情報処理装置に転送する通話情報転送手段とを設け、
前記情報処理装置に、多機能装置から受けるサウンド情報を格納可能なサウンド情報メモリと、多機能装置からサウンド情報を受信してサウンド情報メモリに書き込む書込み手段と、所定の指令に応答してサウンド情報メモリからサウンド情報を読み出して多機能装置に送信してスピーカ手段に出力させる読出し手段とを設けたことを特徴とする多機能複合装置。
【請求項２】
前記多機能装置は、所定の留守番電話メッセージの情報を格納したメッセージ記憶手段と、留守番電話の際メッセージ記憶手段からメッセージ情報を読み出してモデムを介して外部通信回線に送信出力する読出し手段とを備えたことを特徴とする請求項１に記載の多機能複合装置。
【発明の詳細な説明】
【０００１】
【発明の属する技術分野】
本発明は、電話機能やファクシミリ機能等の多機能を実現する多機能装置にパーソナルコンピュータ等の情報処理装置を接続した多機能複合装置に関し、特に外部通信回線を介して多機能装置で受信したサウンド情報を情報処理装置に転送して格納することで、多機能装置に有するメモリの有効化を図るようにしたものに関する。
【０００２】
【従来の技術】
最近、一般的な電話機としては、留守番電話機能を標準的に装備したものが普及してきている。この留守番電話機能を装備した電話機においては、「只今、留守にしています」という音声による応答メッセージを予め記憶しておき、着信の際には、この応答メッセージを電話回線に出力して相手側に送信する一方、相手側から送信された伝言メッセージを、カセットテープやメモリなどの記録媒体に自動録音される。そして、伝言メッセージがあるときには、その伝言メッセージを再生して、受話器のスピーカ又は内蔵のスピーカで聞けるようになっている。
【０００３】
ところで、情報処理装置として、留守番電話機能を装備していないノート型やラップトップ型の安価な携帯型パーソナルコンピュータが普及してきており、この携帯型パーソナルコンピュータを通信用モデムを介して電話回線に接続して、相手側のパーソナルコンピュータに対して、画像データや各種のデータ通信が可能になっている。一方、最近、留守番電話機能は装備していないが、サウンド情報の送受信が可能で且つそのサウンド情報をスピーカで聞くことが可能なサウンド機能を装備した据え置き型のパーソナルコンピュータも普及してきている。即ち、この種の据え置き型パーソナルコンピュータにおいては、相手側のサウンド機能を装備したパーソナルコンピュータに対して、データ通信だけでなく、音声や音楽などのサウンド情報も通信可能になっている。
【０００４】
更に、最近では、電話機能やファクシミリ機能などの多機能を実現可能で電話回線に接続された多機能装置に、各種のパーソナルコンピュータ等の情報処理装置を接続可能にした多機能複合装置が実用化されつつある。この多機能装置においては、受話器や操作パネルを装備するとともに、プリンタやイメージスキャナ装置を装備し、受話器による電話機能が実現でき、またプリンタやイメージスキャナ装置を作動することで、電話回線を介してファクシミリデータを送受信するファクシミリ機能が実現できる上、パーソナルコンピュータから受信したプリントデータをプリンタで印字するプリンタ機能や、イメージスキャナ装置で読み取ったイメージ情報をパーソナルコンピュータに送信するイメージリーダ機能を実現できるようになっている。
【０００５】
ここで、多機能装置に接続されるパーソナルコンピュータとしては、留守番電話機能やサウンド機能を装備していない安価なものを接続可能にしておき、多機能装置には、一般的に、音声データに対応したファクシミリ通信用のモデムが搭載されるとともに、前述した機能以外に、留守番電話機能やサウンド機能が装備されている。そして、留守番電話機能を作動させているときに、相手側から音声信号が送信されてきたときには、予め記録した「只今、留守にしています」という応答メッセージを電話回線に送信する一方、受信した相手側からの伝言メッセージはモデムによりデジタル信号に変換されていることから、記録用テープではなく、メモリに格納するようになっている。そして、必要に応じて、その伝言メッセージを読み出してスピーカにより聞けるようになっている。
【０００６】
【発明が解決しようとする課題】
前述したように、電話機能やファクシミリ機能などの多機能に加えて、留守番電話機能やサウンド機能を装備した多機能装置にパーソナルコンピュータを接続した多機能複合装置においては、留守番電話機能により、相手側から送信されたデジタル信号である伝言メッセージをメモリに格納するようにしていることから、１件分の伝言メッセージの記録に要するメモリ容量が大きくなり、更に複数件分の伝言メッセージを記録可能にする為には、大容量のメモリを必要とし、多機能装置が大型化するとともに、コスト高になるという問題がある。
【０００７】
本発明の目的は、受信した全てのサウンド情報を接続されたパーソナルコンピュータ等の情報処理装置に格納することで、多機能装置に設けるメモリのメモリ容量を低減でき、メモリを複数の機能に共通に使用できるようにして、メモリの有効化を図れるような多機能複合装置を提供することである。
【０００８】
【課題を解決するための手段】
請求項１の多機能複合装置は、少なくとも電話機能とファクシミリ機能とプリンタ機能とイメージリーダ機能とを実現可能で外部通信回線に接続された多機能装置と、この多機能装置に接続可能な情報処理装置とを含む多機能複合装置において、多機能装置に、音声等のサウンドを出力可能なスピーカ手段と、情報処理装置の電源オフ且つ留守番電話の際に、外部通信回線から受信した通話情報を格納する通話情報メモリと、情報処理装置の電源がオフからオンに切換えられたときに、通話情報メモリから通話情報を読み出して情報処理装置に転送する通話情報転送手段とを設け、情報処理装置に、多機能装置から受けるサウンド情報を格納可能なサウンド情報メモリと、多機能装置からサウンド情報を受信してサウンド情報メモリに書き込む書込み手段と、所定の指令に応答してサウンド情報メモリからサウンド情報を読み出して多機能装置に送信してスピーカ手段に出力させる読出し手段とを設けたものである。
【０００９】
外部通信回線を介して多機能装置で受信した音声等のサウンド情報が情報処理装置に送信されたときには、情報処理装置においては、そのサウンド情報を格納可能なサウンド情報メモリを設けているので、多機能装置から受信したサウンド情報は、書込み手段手段によりサウンド情報メモリに書き込まれ、また多機能装置から受信した所定の指令に応答して、読出し手段によりサウンド情報メモリからサウンド情報が読み出されて多機能装置に送信される。そして、多機能装置においては、スピーカ手段を設けているので、情報処理装置から受信した音声等のサウンド情報がそのスピーカ手段に出力される。
【００１０】
即ち、外部通信回線を介して多機能装置で受信した伝言メッセージなどのサウンド情報の全ては、多機能装置に格納することなく、情報処理装置に送信して、ハードディスクやフロッピィーディスクなどの記憶媒体に設けられたサウンド情報メモリに格納されることから、多機能装置に設けるメモリのメモリ容量を低減でき、メモリをファクシミリ機能やプリンタ機能などの複数の機能に共通に使用できるようにして、メモリの有効化を図ることができる。
また、多機能装置において留守番電話であって、情報処理装置の電源がオフのときであっても、外部通信回線から受信した通話情報を通話情報メモリに確実に格納することができる一方、情報処理装置の電源がオフからオンに切換えられたときには、通話情報転送手段によりその通話情報メモリの通話情報を読み出して情報処理装置に転送でき、一時的に通話情報を格納する通話情報メモリのメモリ容量を小型化することができる。
【００１１】
請求項２の多機能複合装置は、請求項１の発明において、前記多機能装置は、所定の留守番電話メッセージの情報を格納したメッセージ記憶手段と、留守番電話の際メッセージ記憶手段からメッセージ情報を読み出してモデムを介して外部通信回線に送信出力する読出し手段とを備えたものである。
【００１２】
【００１３】
【００１４】
【発明の実施の形態】
以下、本発明の実施の形態について図面を参照して説明する。本実施形態は、レーザプリンタやイメージスキャナ装置を有し、受信したファクシミリデータを記録し、原稿のイメージ情報を送信するなどの通常のファクシミリ機能に加えて、電話機能やサウンド機能などを有する多機能装置「以下、ＭＦＤ（マルチファンクションデバイス）という」に、接続ケーブルを介して情報処理装置であるパーソナルコンピュータを接続した多機能複合装置に本発明を適用した場合のものである。多機能複合装置１を構成するＭＦＤ２は、図１に示すように、基本的には、制御部１０を有するコントロールユニット２０と、このコントロールユニット２０に接続された操作パネル３と、レーザプリンタ４と、イメージスキャナ装置５と、音声等のサウンドを出力するスピーカ６などから構成されている。
【００１５】
前記制御部１０は、基本的に、ＣＰＵ１１と、このＣＰＵ１１にデータバスなどを含むコモンバス１６で接続されたＲＯＭ１２と、ＥＥＰＲＯＭ（電気的に消去して書換え可能なＲＯＭ）１３と、ＲＡＭ１４と、ＤＭＡコントローラ１５などで構成されている。また、コモンバス１６には、イメージ情報の短縮（圧縮）化の為に符号化する符号化部及び符号化により短縮されている通信データを復号化する復号化部を有するＣＯＤＥＣ２１と、ハードロジック回路からなる入出力用ＡＳＩＣ（アプリケーション・スペシフィック・インテグレーテッド・サーキット）２２と、スピーカ６を駆動する音声増幅器（ＡＭＰ）２３と、音声などのサウンドデータにも対応可能なファクシミリ通信用のモデム２４と、バッファ２６と、パーソナルコンピュータ８に接続ケーブルＬを介して接続された通信用インターフェース（通信用Ｉ／Ｆ）２７とが夫々接続されている。ここで、これら音声増幅器２３やスピーカ６などでスピーカ手段が構成されている。
【００１６】
また、モデム２４には、電話回線７（外部通信回線に相当する）及びハンドセット９に接続されたＮＣＵ（ネットワーク・コントロール・ユニット）２５が接続されている。更に、入出力用ＡＳＩＣ２２には、ディスプレイ３ａ及びキーボード３ｂを有する操作パネル３と、レーザプリンタ４とが接続されるとともに、ＤＲＡＭ（ダイナミックＲＡＭ）２８を介してイメージスキャナ装置５が接続されている。このＤＲＡＭ２８には、イメージスキャナ装置５で読み込まれた２〜３ドットライン分のドットデータがイメージ情報として一時的に記憶されるとともに、そのイメージ情報は入出力用ＡＳＩＣ２２により読み出される。
【００１７】
前記ＲＯＭ１２には、レーザプリンタ４又はイメージスキャナ装置５を作動させてイメージ情報を電話回線７を介して外部のファクシミリ装置（図示略）に対してファクシミリデータの送受信を制御するファクシミリ機能を実現する制御プログラム、イメージスキャナ装置５で読み込んだ原稿のイメージ情報を記録するコピー機能を実現する制御プログラム、パーソナルコンピュータ８から受信したプリントデータを記録するプリント機能を実現する制御プログラム、イメージスキャナ装置５で読み込んだ原稿のイメージ情報をパーソナルコンピュータ８に送信するイメージリーダ機能を実現する制御プログラムが格納されている。
【００１８】
更に、ＲＯＭ１２には、電話回線７を介して相手側に対して音声信号を送受信する電話機能を実現する制御プログラム、留守番電話機能を実現する後述の留守番電話制御プログラム、電話回線７や通信用Ｉ／Ｆ２７を介して受信したサウンド情報をスピーカ６に出力するサウンド機能を実現する制御プログラム等が格納されている。このＭＦＤ２においては、前記ＣＰＵ１１は、それに接続されているクロックからのクロック信号をハード的にカウントする内蔵タイマによるタイマ割り込みを受け付け可能になっている。
【００１９】
そして、例えば、ファクシミリ機能のうちのファクシミリデータ送信制御プログラムとプリント機能の制御プログラムとを並行処理するなど、複数組の制御プログラムを並行処理する場合には、ＣＰＵ１１が例えば、約１／６０秒（約１６msec）のタイマ割り込みを受け付ける毎に、これら複数組の制御プログラムをその割当てられた約１／６０秒毎に時分割方式で順次切換えながら並行処理することにより、複数の機能を同時に実現できるようになっている。
【００２０】
前記ＥＥＰＲＯＭ１３には、ファクシミリ機能を実現するときの各種の設定モード、プリンタ機能を実現するときの印字位置や印字濃度に関する各種の設定データが変更可能に記憶されるとともに、複数の送信先の電話番号などが記憶されている。また、ＲＡＭ１４には、着信したときに電話回線７に出力する応答メッセージ（例えば、「只今、留守にしています」）のサウンド情報を格納する応答メッセージメモリ１４ａ（メッセージ記憶手段に相当する）、受信した伝言メッセージを格納する通話情報メモリ１４ｂ、ファクシミリ機能やコピー機能などの複数の機能を実現する制御プログラムの実行に必要な各種のメモリやバッファが設けられている。
【００２１】
次に、多機能複合装置１を構成するパーソナルコンピュータ８について説明すると、図２に示すように、基本的に、制御装置３０と、これに接続されたハードディスクドライブ装置（ＨＤＤ）４０と、フロッピィーディスクドライブ装置（ＦＤＤ）４１と、ＣＲＴディスプレイ（ＣＲＴＤ）４２と、キーボード４３と、座標入力装置（マウス）４４などで構成されている。制御装置３０は、ＣＰＵ３１と、このＣＰＵ３１にデータバスを含むコモンバス３６に接続されたＲＯＭ３２、ＲＡＭ３３、入出力インターフェース３４及び通信用インターフェース（通信用Ｉ／Ｆ）３５と、入出力インターフェース３４に接続されたハードディスクコントローラ（ＨＤＣ）３７と、フロッピィーディスクコントローラ（ＦＤＣ）３８と、ＣＲＴコントローラ（ＣＲＴＣ）３９などで構成されている。
【００２２】
また、前記通信用Ｉ／Ｆ３５には、接続ケーブルＬを介してＭＦＤ２が接続されている。これにより、作成したプリントデータをＭＦＤ２に送信して、レーザプリンタ４で記録することができる一方、イメージスキャナ装置５で読み込んだイメージ情報を受信すること等が可能になっている。更に、ハードディスクドライブ装置４０にセットされたハードディスクには、ＭＦＤ２から転送されたサウンド情報を格納するサウンド情報メモリ（図示略）が設けられている。ここで、そのハードディスクには、パーソナルコンピュータ８を制御する各種の制御プログラムに加えて、後述する通話情報書込み制御の制御プログラムや、通話情報読出し制御の制御プログラムが格納されている。
【００２３】
次に、ＭＦＤ２の制御部１０で行なわれる応答メッセージ記録制御のルーチンについて、図３のフローチャートに基づいて説明する。尚、以降に説明するフローチャートの符号Ｓｉ（ｉ＝１０、１１、１２・・・）は各ステップである。操作パネル３のキーボード３ｂにおいて、応答メッセージを記録する為のキーが操作されると、この制御が開始され、先ずモデム２４が音声モードに設定され（Ｓ10）、更に音声入力機器としてハンドセット９に設定される（Ｓ11）。そして、オペレータがハンドセット９に、例えば、「只今、留守にしています・・・」と話した応答メッセージが、モデム２４によりデジタルの音声データに変換されてＲＡＭ１４の応答メッセージメモリ１４ａに格納される（Ｓ12）。そして、ハンドセット９が入力機器設定から解放され（Ｓ13）この制御を終了して、メインルーチンにリターンする。
【００２４】
次に、留守番電話機能の作動により実行される留守番電話制御のルーチンについて、図４のフローチャートに基づいて説明する。この制御が開始されると、先ずモデム２４が音声モードに設定され（Ｓ20）、着信を検出しないときに（Ｓ21：No）、伝言メッセージの記録の有無を指示する伝言記録フラグＲＦのフラグデータが「０」で、伝言メッセージが通話情報メモリ１４ｂに記録されていないときには（Ｓ22：No）、着信があるまでＳ21〜Ｓ22が繰り返して実行される。そして、着信を検出したときには（Ｓ21：Yes ）、回線が接続され（Ｓ23）、応答メッセージメモリ１４ａから応答メッセージ（例えば、「只今、留守にしています・・・」）が読出されて、モデム２４を介してアナログの音声信号に変換されて電話回線７に送信出力される（Ｓ24）。
【００２５】
その後、「ピィー」というビープ音が電話回線７に送信出力される（Ｓ25）。そして、このとき、パーソナルコンピュータ８に対して着信を検出した旨を指示したときに、直ぐに応答があったとき、つまりパーソナルコンピュータ８は、電源がＯＮ状態で作動しているときであり（Ｓ26：Yes ）、録音可能の指示が入力されたときには（Ｓ29：Yes ）、電話回線７を介して受信した伝言メッセージの音声データが、モデム２４でデジタル信号に変換されて通話情報として、通信用Ｉ／Ｆ２７を介してパーソナルコンピュータ８に送信される（Ｓ30）。
【００２６】
一方、パーソナルコンピュータ８においては、ＭＦＤ２から通話情報を格納する旨の指令を受信したときには、図７に示すように、通話情報書込み制御が開始され、受信した１件分の通話情報が、ハードディスクドライブ装置４０のハードディスクに設けられたサウンド情報メモリ４０ａに格納され（Ｓ60）、更に格納すべき通話情報が有れば（Ｓ61：Yes ）、Ｓ60〜Ｓ61が繰り返して実行され、格納すべき通話情報が無くなったときには（Ｓ61：No）、メインルーチンにリターンする。
【００２７】
そして、留守番電話制御において、相手側からの通話情報の送信終了により、ビジートーンを検出したときには（Ｓ31）、接続していた回線が切断され（Ｓ32）、Ｓ20に戻る。ところで、着信があったときに、パーソナルコンピュータ８の電源がＯＦＦ状態で作動していないときには（Ｓ26：No）、電話回線７を介して受信した伝言メッセージの音声データが通話情報としてＲＡＭ１４の通話情報メモリ１４ｂに格納され（Ｓ27）、伝言記録フラグＲＦがセットされ（Ｓ28）、Ｓ31、Ｓ32を経てＳ20に戻る。
【００２８】
ここで、前述したように、着信を検出するまでＳ21〜Ｓ22が繰り返して実行されているときに、伝言記録フラグＲＦがセットされたときには、Ｓ21〜Ｓ23が繰り返して実行されることになる。そして、パーソナルコンピュータ８の電源がオフからオンに切換えられたときには（Ｓ33：Yes ）、通話情報メモリ１４ｂに格納している全ての通話情報をパーソナルコンピュータ８に転送する通話情報転送処理（通話情報転送手段に相当し、図５参照）が実行される（Ｓ34）。
【００２９】
この制御が開始され、先ず録音可能の指示が入力されたときには（Ｓ40：Yes ）、伝言の件数が送信され（Ｓ41）、モデム２４が音声モードに設定され（Ｓ42）、通話情報メモリ１４ｂから１件分の通話情報を読み出して、パーソナルコンピュータ８に転送する転送制御が実行される（Ｓ43）。更に、通話情報が有れば（Ｓ44：Yes ）、Ｓ43〜Ｓ44が繰り返して実行され、転送すべき通話情報が無くなったときには（Ｓ44：No）、伝言記録フラグＲＦがリセットされ（Ｓ45）、この制御を終了して、Ｓ20に戻る。
【００３０】
一方、操作パネル３のキー操作により、留守番電話機能が解除され、伝言メッセージを再生するように指示されたときには、通話情報出力制御（図６参照）が実行される。この制御が開始されると、先ずモデム２４が音声モードに設定され（Ｓ50）、音声出力機器としてスピーカ６に設定され（Ｓ51）、パーソナルコンピュータ８に対して通話情報送信要求が出力される（Ｓ52）。
【００３１】
一方、パーソナルコンピュータ８においては、ＭＦＤ２から通話情報の送信を要求する旨の指令を受信したときには、図８に示すように、通話情報読出し制御が開始され、サウンド情報メモリ４０ａに格納されている１件分の通話情報を読み出して、ＭＦＤ２に送信され（Ｓ65）、更に送信すべき通話情報が有れば（Ｓ66：Yes ）、Ｓ65〜Ｓ66が繰り返して実行され、送信すべき通話情報が無くなったときには（Ｓ66：No）、メインルーチンにリターンする。そして、通話情報出力制御において、パーソナルコンピュータ８から受信した通話情報がスピーカ６に出力される（Ｓ53）。次に、送信終了コマンドを受信したときには（Ｓ54）、この制御を終了して、メインルーチンにリターンする。
【００３２】
以上説明したように、ファクシミリ機能、コピー機能、電話機能に加えて、プリンタ機能やイメージリーダ機能を実現可能で、電話回線７に接続されたＭＦＤ２と、このＭＦＤ２に接続されたパーソナルコンピュータ８とを含む多機能複合装置１において、ＭＦＤ２にスピーカ６とこれを作動させるＡＭＰ２３を設け、パーソナルコンピュータ８に設けたハードディスクドライブ装置４０のハードディスクにサウンド情報メモリ４０ａを設け、電話回線７を介してＭＦＤ２で受信した伝言メッセージなどのサウンド情報の全ては、ＭＦＤ２に格納することなく、パーソナルコンピュータ８に送信してサウンド情報メモリ４０ａに格納されるので、ＭＦＤ２に設けた通話情報メモリ１４ｂのメモリ容量を低減でき、ＲＡＭ１４に有する各メモリを、留守番電話機能以外の、ファクシミリ機能やプリンタ機能などの複数の機能に共通に使用できるようにして、ＲＡＭ１４の有効化を図ることができる。
【００３３】
また、応答メッセージメモリ１４ａに、「只今、留守にしています」などの所定の留守番電話メッセージの情報を格納するようにし、留守番電話の際には、その応答メッセージメモリ１４ａからメッセージ情報を読み出して、モデム２４を介して電話回線７に送信出力するようにしたので、留守番電話のときに、相手側から電話回線７を介して着信したときには、留守番電話メッセージを読み出して、モデム２４を介して電話回線７に送信出力でき、留守番電話機能を設けることが可能になる。
【００３４】
更に、ＭＦＤ２において、留守番電話機能の作動中に、電話回線７から通話情報を受信したときに、パーソナルコンピュータ８の電源がオフ状態のときには、受信した通話情報を通話情報メモリ１４ｂに一時的に格納する一方、パーソナルコンピュータ８の電源がオフからオンに切換えられたときには、その通話情報メモリ１４ｂから通話情報を読み出してパーソナルコンピュータ８に転送するようにしたので、パーソナルコンピュータの電源がオフのときであっても、受信した通話情報を通話情報メモリ１４ｂに確実に格納することができる一方、パーソナルコンピュータ８の電源が投入されたときに、その通話情報メモリ１４ｂの通話情報を読み出してパーソナルコンピュータ８に転送でき、一時的に通話情報を格納する通話情報メモリ１４ｂのメモリ容量を小型化することができる。
【００３５】
ここで、前記実施形態の変更態様として、前記スピーカ６は、オンフックダイヤル機能に用いるスピーカであってもよい。またパーソナルコンピュータ８としては、通信機能を装備したノート型やラップトップ型の携帯用のものであってもよい。また、電話機能やファクシミリ機能などの複数機能を実現可能な多機能装置に各種のコンピュータを接続した種々の多機能復号装置に本発明を適用するようにしてもよい。
【００３６】
【発明の効果】
請求項１の多機能複合装置によれば、少なくとも電話機能とファクシミリ機能とプリンタ機能とイメージリーダ機能とを実現可能で外部通信回線に接続された多機能装置と、この多機能装置に接続可能な情報処理装置とを含む多機能複合装置において、多機能装置にスピーカ手段を設け、情報処理装置にサウンド情報メモリと書込み手段と読出し手段とを設け、外部通信回線を介して多機能装置で受信した伝言メッセージなどのサウンド情報の全ては、多機能装置に格納することなく、情報処理装置に送信してサウンド情報メモリに格納されるので、多機能装置に設けるメモリのメモリ容量を低減でき、メモリをファクシミリ機能やプリンタ機能などの複数の機能に共通に使用できるようにして、メモリの有効化を図ることができる。
また、多機能装置に、前記情報処理装置の電源オフ且つ留守番電話の際に、外部通信回線から受信した通話情報を格納する通話情報メモリと、情報処理装置の電源がオフからオンに切換えられたときに、通話情報メモリから通話情報を読み出して情報処理装置に転送する通話情報転送手段とを設けたので、多機能装置において留守番電話であって、情報処理装置の電源がオフのときであっても、外部通信回線から受信した通話情報を通話情報メモリに確実に格納することができる一方、情報処理装置の電源がオフからオンに切換えられたときには、通話情報転送手段によりその通話情報メモリの通話情報を読み出して情報処理装置に転送でき、一時的に通話情報を格納する通話情報メモリのメモリ容量を小型化することができる。
【００３７】
請求項２の多機能複合装置によれば、請求項１と同様の効果を奏するが、前記多機能装置は、所定の留守番メッセージの情報を格納したメッセージ記憶手段と、留守番電話の際メッセージ記憶手段からメッセージの情報を読み出してモデムを介して外部通信回線に送信出力する読出し手段とを備えたので、留守番電話のときに、相手側から外部通信回線を介して着信したときには、留守番電話メッセージを読み出してモデムを介して外部通信回線に送信出力でき、留守番電話機能を設けることが可能となる。
【００３８】
【図面の簡単な説明】
【図１】本発明の実施形態に係るマルチファンクションデバイスの制御系のブロック図である。
【図２】パーソナルコンピュータの制御系のブロック図である。
【図３】応答メッセージ記録制御のルーチンの概略フローチャートである。
【図４】留守番電話制御のルーチンの概略フローチャートである。
【図５】通話情報転送処理制御のルーチンの概略フローチャートである。
【図６】通話情報出力制御のルーチンの概略フローチャートである。
【図７】通話情報書込み制御のルーチンの概略フローチャートである。
【図８】通話情報読出し制御のルーチンの概略フローチャートである。
【符号の説明】
１        多機能複合装置
２        ＭＦＤ
６        スピーカ
７        電話回線
８        パーソナルコンピュータ
１０      制御部
１１      ＣＰＵ
１２      ＲＯＭ
１４      ＲＡＭ
１４ａ    応答メッセージメモリ
１４ｂ    通話情報メモリ
２３      ＡＭＰ
２４      モデム
４０ａ    サウンド情報メモリ
【図１】
0003775530.tif 000002
【図２】
0003775530.tif 000003
【図３】
0003775530.tif 000004
【図４】
0003775530.tif 000005
【図５】
0003775530.tif 000006
【図６】
0003775530.tif 000007
【図７】
0003775530.tif 000008
【図８】
0003775530.tif 000009